(57)【要約】【課題】大強度のビームを受け止めることが可能なビーム標的および、生成された核反応生成物を効率的に利用可能なビーム標的システムを提供する。【解決手段】ビーム発生源から得られるビームを照射して核反応生成物を生成するためのビーム標的であって、先端ほど径が小さくなるテーパ形状の内側面を有するコーン体と、前記コーン体の内側面に液体金属を供給して、前記内側面に前記液体金属による液膜を形成する供給手段と、を備える。コーン体表面に液体金属の液膜が形成されビームの照射面積を大きくする事ができるとともに、コーン体の周囲にＬＬＦＰ等の対象物質を配置できるので液体金属へのビーム照射で生成される核反応生成物（例えば中性子）を効率的に利用できる。【選択図】図１
2020139882.tif 000002
【特許請求の範囲】
【請求項１】
ビーム発生源から得られるビームを照射して核反応生成物を生成するためのビーム標的であって、
先端ほど径が小さくなるテーパ形状の内側面を有するコーン体と、
前記コーン体の内側面に液体金属を供給して、前記内側面に前記液体金属による液膜を形成する供給手段と、
を備えるビーム標的。
【請求項２】
前記液体金属に対するビームの照射により生じる中性子によって核変換する対象の物質によって、前記コーン体が構成される、
請求項１に記載のビーム標的。
【請求項３】
前記供給手段が供給する液体金属には、前記液体金属に対するビームの照射により生じる中性子によって核変換する対象の物質の粉体が含まれる、
請求項１または２に記載のビーム標的。
【請求項４】
前記コーン体の内側面には、螺旋状の溝が設けられている、
請求項１から３のいずれか１項に記載のビーム標的。
【請求項５】
請求項１から４のいずれか１項に記載のビーム標的と、
ビーム発生源から得られたビームを前記液膜に照射する照射手段と、
を備えるビーム標的システム。
【請求項６】
前記液体金属に対する前記ビームの照射により生じる中性子によって核変換する対象の物質を、前記コーン体の周囲に保持する保持部を備える、
請求項５に記載のビーム標的システム。
【請求項７】
前記液体金属に対するビームの照射により生じる中性子を、前記ビームの照射方向と直交する方向に出力する出力手段を備える、
請求項５に記載のビーム標的システム。
【請求項８】
前記出力手段を複数備える、
請求項７に記載のビーム標的システム。
【発明の詳細な説明】
【技術分野】
【０００１】
本発明は、ビーム標的およびビーム標的システムに関する。
【背景技術】
【０００２】
ビーム標的システムは、例えば、標的の金属等に大強度の荷電粒子ビームを照射して中性子を発生させるために用いられる。生成された中性子は、長寿命核分裂生成物（ＬＬＦＰ： Long Lived Fission Products）の核変換、核融合炉材料の評価、ホウ素中性子捕獲療法（ＢＮＣＴ: Boron Neutron Capture Therapy）、非破壊検査などに用いられる。ま
た、ビーム標的システムは、α線内用療法用RIとして期待されているアスタチン-211のような核反応生成物を荷電粒子ビームの照射によって生成するためにも用いられる。
【０００３】
照射するビームの強度が大きくなるとビーム標的における熱負荷が問題となる。特許文献１では、容器の中で液体金属を循環させ発生した熱を除去することが提案されている。ただし、この手法の場合は、容器のビーム窓（固体）を介してビームを照射するため、ビーム窓が損傷するという問題がある。
【０００４】
これに対して、非特許文献１では、湾曲した板に沿って液体金属を流して自由表面流れによる液膜を生成し、そこに直接ビームを照射することを提案する。液体金属の流路が湾曲しているので遠心力によって液体の圧力が上がり、液体金属液膜内部での沸騰を防ぐことが可能である。また、照射面積を増やすために、液膜をビーム照射方向に対して傾けることも提案されている。
【先行技術文献】
【特許文献】
【０００５】
【特許文献１】特開２０１８−７２２１１号公報
【非特許文献】
【０００６】
【非特許文献１】Kondo, H., et al. "IFMIF/EVEDA lithium test loop: design and fabrication technology of target assembly as a key component." Nuclear Fusion 51.12 (2011): 123008.
【発明の概要】
【発明が解決しようとする課題】
【０００７】
標的にビームを衝突させて生成した核反応生成物（例えば中性子）を使用する場合には、標的近傍に核反応生成物の照射対象（例えばＬＬＦＰや検査・治療部位）を効率良く配置できることが重要である。非特許文献１の手法では、核反応生成物の照射対象物を湾曲板の背後にしか設置できず効率的ではない。液膜を斜めにして用いる場合も、照射対象物を配置するスペースが限定され効率的ではない。
【０００８】
このような課題を考慮し、本発明は、大強度のビームを受け止めることが可能なビーム標的および、生成された核反応生成物を効率的に利用可能なビーム標的システムを提供することを目的とする。
【課題を解決するための手段】
【０００９】
本発明の一態様は、ビーム発生源から得られるビームを照射して核反応生成物を生成するためのビーム標的であって、
先端ほど径が小さくなるテーパ形状の内側面を有するコーン体と、
前記コーン体の内側面に液体金属を供給して、前記内側面に前記液体金属による液膜を形成する供給手段と、
を備えることを特徴とする。
【００１０】
供給手段によって供給される液体金属がコーン体の内側面（内壁）を螺旋状に流れることにより液膜を形成する。形成される液膜は、その表面が円錐形状とすることが好ましい。このため、コーン体は、ビーム受け入れ側から遠い方を先端として、先端部ほど径が小さくなるテーパ形状の内側面を有する。コーン体の内側面は、大まかには円錐台形状であるが、より厳密にはテーパ角度は一定でなくて良く、テーパ角が徐々に緩やかになるテーパ形状や徐々に急になるテーパ形状であってもよい。コーン体の内側面は最先端では、円筒形状であってよい。また、コーン体の全体形状は特に限定されないが、液体金属へのビーム照射により生じた中性子を外部で利用する場合には中性子を遮断しないように薄く形成することが好ましい。
【００１１】
本態様に係るビーム標的によれば、テーパ形状あるいは円錐台形状の内側面を有するコーン体の表面に液体金属の液膜が形成されるので、ビーム標的の長さを短く保ちつつ、ビームが照射される液膜の表面積（以下、照射面積）を大きくすることができる。なお、傾けた平板に液体金属を流してもビームの照射面積を大きくすることができるが、標的の全長が長くなる。本態様に係るビーム標的は、全長を短くしつつビームの照射面積を大きくすることが可能である。
【００１２】
また、本態様に係るビーム標的では液体金属がコーン体の内部を流れるため、コーン体の外部のいずれの位置にも他の物体を配置することができる。液体金属へのビーム照射で生じた核反応生成物（例えば中性子）を、ビーム標的外部の物質に照射する用途では、コーン体の周囲全体に対象物を配置できるので、核反応生成物の利用効率を上げることができる。例えば、液体金属に対するビームの照射により生じる中性子によってＬＬＦＰなどを核変換する場合に、中性子を照射して核変換する対象の物質（例えば、ＬＬＦＰ）をコーン体の周囲に保持することができる。
【００１３】
液体金属（標的材）は用途に応じて適宜選択すればよく、例えば、液体リチウム、液体ビスマス、液体ナトリウム、液体水銀、液体鉛ビスマスが例示できる。また、コーン体の内側面全体に液体金属による液膜形成を容易にするために、複数の供給手段が設けられてもよい。
【００１４】
また、液体金属は螺旋状に流れるので、遠心力により液体金属液膜の内部の圧力が増加し、ビーム照射に伴う沸騰を防ぐこともできる。螺旋流であるので、湾曲板に液体金属を流すよりも大きな遠心力を得ることができて、沸騰を防止する効果もより高くなる。
【００１５】
また、本態様においてコーン体を核変換対象物質（例えば、93Zr）で構成してもよい。ここで、核変換対象物質で構成するというのは、コーン体を構成する材料に核変換対象物質が含まれることを意味し、その他の材料が含まれることを排除しない。また、本態様において、供給手段が供給する液体金属に、核変換対象物質の粉体が含まれていてもよい。中性子は液体金属へのビームの照射により生じるので、核変換対象物質を液体金属内あるいはコーン体内に配置することで、核変換対象物質と中性子の発生位置を極めて近くでき、核変換の効率を上げることができる。
【００１６】
また、本態様において、コーン体の内側面に螺旋状の溝が設けられていてもよい。螺旋状の溝により液体金属の流れを安定化できる。
【００１７】
本発明の他の態様は、ビーム標的システムであって、
上記のビーム標的と、
ビーム発生源から得られたビームを前記液膜に照射する照射手段と、
を備えることを特徴とする。
【００１８】
照射手段は、例えば、ビーム窓(例えば、プラズマカーテン、液体金属窓)、ビーム発生源である加速器から得られるビームを偏向してビーム標的に導く偏向手段や、ビーム径を調整する調整手段を含んで構成される。
【００１９】
また、本態様において、液体金属に対するビームの照射により生じる中性子によって核変換する対象の物質（例えば、ＬＬＦＰ）を、コーン体の周囲に保持する保持部をさらに備えてもよい。上述したように、コーン体の周囲に核変換対象物質を配置できるので、中性子の利用効率を上げることができる。例えば、コーン体全体を核変換対象物質で覆うことにより、ビーム標的で発生した中性子をより効率的に利用することができる。
【００２０】
本態様におけるビーム標的システムは、液体金属に対するビームの照射により生じる中性子を、ビームの照射方向と直交する方向に出力する出力手段を備えてもよい。また、このような出力手段を複数備えてもよい。発生した中性子を非破壊検査やＢＮＣＴ用途に利用する場合に、対象物の設置の柔軟性が上がるとともに、複数の対象に対して同時に中性子を照射することもできる。
【発明の効果】
【００２１】
本発明によれば、大強度のビームを受け止めることが可能なビーム標的および、生成された核反応生成物を効率的に利用可能なビーム標的システムを提供できる。
【図面の簡単な説明】
【００２２】
【図１】図１は、ＬＬＦＰの核変換のために用いるビーム標的システム（第１の実施形態）の全体構成を示す図である。
【図２】図２は、コーン体の形状を説明する図である。
【図３】図３は、コーン体の内側面形状の設計方法を説明する図である。
【図４】図４は、実施形態において標的に対するビーム照射面積を増大できることを説明する図である。
【図５】図５は、第１の実施形態における重陽子ビームおよび生成される中性子の飛跡、およびビーム照射に伴う発熱量を求めるシミュレーションの結果を示す図である。
【図６】図６は、第１の実施形態におけるＬＬＦＰの核変換効率を評価するためのシミュレーションを説明する図である。
【図７】図７は、多患者型ＢＮＣＴ治療システムに用いられるビーム標的システム（第２の実施形態）の全体構成を示す図である。
【図８】図８は、アスタチン−２１１の大量生成システムに用いられるビーム標的システム（第３の実施形態）の全体構成を示す図である。
【発明を実施するための形態】
【００２３】
以下では、図面を参照しながら、この発明を実施するための形態を説明するが、本発明はこれに限定されない。以下で説明する各実施形態の構成要素は、適宜組み合わせることができる。
【００２４】
＜第１の実施形態＞
本実施形態は、長寿命核分裂生成物（ＬＬＦＰ）の核変換に用いられるビーム標的システム１００である。ビーム標的システム１００は、加速器によって加速された重陽子ビーム（例えば、核子あたり１００ＭｅＶ程度）を液体リチウムに照射することで中性子を生成し、生成された中性子によりＬＬＦＰを核変換して無害化する。
【００２５】
［構成］
図１は、ビーム標的システム１００の全体構成を示す図である。図に示すように、ビーム標的システム１００は、ビーム窓１０１、偏向電磁石１０２、ビーム径調整電磁石１０３、コーン体１０４、液体金属供給部１０５、ＬＬＦＰ保持部１０６を備える。
【００２６】
ビーム窓１０１は、加速器側の高真空とビーム標的システム側とを隔てる装置であり、プラズマカーテンや液体金属窓により構成される。
【００２７】
偏向電磁石１０２は、重陽子ビームの進行方向を変える。本実施形態では、水平方向の重陽子ビームを下向きに変える。ビーム径調整電磁石１０３は、重陽子ビームのビーム径を所望の大きさに調整する。本実施形態では、ビーム径は直径４０ｃｍとする。
【００２８】
コーン体１０４の内側面は、概略、ビーム進行方向ほど径が小さくなる円錐台形状であり、最先端側は円筒形状である。なお、コーン体１０４の内側面は、厳密には円錐台形状ではなく、先端ほどテーパ角が緩やかになるテーパ形状である。コーン体１０４の内側面形状の詳細については、図３を用いて後ほど詳しく説明する。
【００２９】
コーン体１０４の材料は、液体金属（標的材）と化学的に反応せず強度のある材料であればどのようなものであってもよく、例えば、ステンレス鋼（ＳＵＳ）を採用できる。
【００３０】
液体金属供給部１０５（以下単に供給部１０５とも称する）は、コーン体１０４の上側から、コーン体１０４の内側面に沿って接線方向の速さが残るように液体金属（本実施形態では液体リチウム）を供給する。接線方向に速さが残るような液体金属の供給であるので、供給部１０５は液体金属を噴射していると表現することもできる。液体リチウムはコーン体１０４の内側面に沿って螺旋流を生じ、内側面に薄い液膜１１０を形成する。図１において、コーン体１０４の内側面に形成される液体金属の液膜（標的）は黒の塗り潰しで表現している。
【００３１】
液体金属の螺旋流を安定させるために、コーン体１０４の内側面には螺旋流路に沿った溝が設けられていてもよい。
【００３２】
コーン体１０４の下端側には液体金属を排出する排出口１０９があり、液体金属出口１０７からコーン標的の外部に排出される。排出された液体金属は、熱交換器１２１、不純物除去装置１２２、循環ポンプ１２３などからなる循環システム１２０（図２Ｃ参照）によって循環され、コーン体１０４の上端側の流体入口１０８から再び供給される。
【００３３】
保持部１０６は、生成した中性子によって核変換する対象の物質であるＬＬＦＰを保持する。ＬＬＦＰの例は、パラジウム−１０７（107Pd）、セシウム−１３５（135Cs）、ジルコニウム−９３（93Zr）、セレン−７９（79Se）等が挙げられる。保持部１０６によって保持されるＬＬＦＰは、コーン体１０４の外側面に接触する。
【００３４】
図２Ａはコーン体１０４の鉛直断面形状を示し、図２Ｂはコーン体１０４の上面図を示す。コーン体１０４の内側面は、上述したように円錐台形状の部分と円筒形状の部分を有する。また、コーン体１０４は、液体金属へのビーム照射によって生じた中性子が保持部１０６に保持されたＬＬＦＰに到達するのを妨げないようにできるだけ薄く形成される。なお、コーン体１０４の強度と安定性を増加させるために、補強リングが何箇所かに設けられてもよい。供給部１０５は、コーン体１０４の上端付近に設けられる。図２Ｂでは、９０度ずつずらして４つの供給部１０５を設ける例を示しているが、コーン体１０４の内側面の全体に液膜を形成できれば、供給部１０５の数はいくつであっても構わない。
【００３５】
図２Ｃは、液体金属を循環する循環システム１２０を説明する図である。コーン体１０４の排出口１０９および液体金属出口１０７を介して外部に排出された液体金属は、循環ポンプ１２３によって、液体金属入口１０８に再び供給される。循環の際に、液体金属は熱交換器１２１によって冷却され、不純物除去装置１２２によって不純物が除去される。
【００３６】
図３は、コーン体１０４の内側面形状の設計方法を説明する図である。図３はコーン体１０４の鉛直断面形状３１０、上端部、中間部、下端部における水平断面図３２１，３２２，３３３を示す。３０１はコーン体１０４の内側面を示し、３０２は液体金属膜の表面を示す。また、Ｖ縦ｉは縦方向に沿った流体の速さを示し、Ｖ横ｉは横方向に沿った流体の速さを示し、Ｓｉは各断面での流体の面積を示す。
【００３７】
コーン体１０４の内側面の形状は、供給部１０５によって形成される液体金属の液膜表面が、円錐形状になるような形状として設計される。したがって、まず、液体金属の液膜表面の形状、より具体的には、その傾斜角度を求める。これは、液膜の単位面積あたりのビームの照射強度が液体金属の沸騰を生じないような照射強度となるように、導入されるビームの強度と液体金属の性質とから決定される。
【００３８】
次に、各断面でのＶ縦が等しいものとし、Ｓが等しくなるようにコーン体１０４の内壁の形状（傾斜角度）を決定する。図３に示すように、コーン体１０４の内側面の傾斜は、標的（液膜）の傾斜よりも緩くなる。また、厳密には、コーン体１０４の内側面３０１は先端（下側）ほど径が小さくなるテーパ形状であるが、そのテーパ角は先端ほど緩やかになる。なお、ここでは摩擦や重力の影響を無視して各断面でのＶ縦が等しいものとして計算しているが、より厳密にはこれらの影響も考慮した流速に基づいて形状を設計するとよい。
【００３９】
なお、液体金属の液膜表面を円錐形状とするのは、ビーム強度のプロファイルが中心からの距離に依らず一定の場合である。ビーム強度が中心から離れるほど弱くなるプロファイルを有する場合には、液膜の単位面積あたりのビーム強度を一定にするために、液膜の表面の傾斜角度が徐々に急になるテーパ形状としてもよい。これに応じて、コーン体１０４の内側面の形状も適宜決定される。
【００４０】
［効果］
以下、本実施形態にかかるビーム標的システムの有利な効果を説明する。
【００４１】
図４Ａ〜図４Ｃは、本実施形態において、標的に対するビームの照射面積を増大できることを説明する図である。図４Ａは液体金属を自由落下させる場合、図４Ｂは液体金属を傾斜した板に沿って流す場合、図４Ｃは本実施形態のようにコーン体１０４の内側面に沿って螺旋状に液体金属を流す場合である。照射するビームの直径をｄとすると、図４Ａの場合の照射面積はπ（ｄ／２）２である。一方、図４Ｂ、図４Ｃの場合の照射面積はいずれもπ（ｄ／２）２／ｓｉｎθである。ここでθは傾斜板およびコーンの傾斜角である。
【００４２】
傾斜板を利用する場合（図４Ｂ）と本実施形態（図４Ｃ）とで照射面積は同じであるが、標的の長さは、前者がｄ／ｓｉｎθ、後者がｄ／（２×ｓｉｎθ）であり、本実施形態の方が装置の小型が可能であるという利点がある。
【００４３】
また、図４Ｂの手法では傾斜板の後方にしかＬＬＦＰを配置できないのに対し、本実施形態では、ＬＬＦＰをコーン体１０４の周囲全体に配置でき、したがって、生成される中性子を効率的に利用可能であり、ＬＬＦＰを効率よく核変換することができる。
【００４４】
さらに、螺旋流に伴う遠心力によって液体金属内の圧力が上昇するので、沸点が上昇し、ビーム照射による液体金属の沸騰を防止できる。従来技術に示されるように湾曲板に沿って液体金属を流しても遠心力が生じるが、本実施形態のような螺旋流の方がより大きな遠心力が得られ、沸騰の抑制効果が高い。
【００４５】
図５Ａ〜図５Ｄは、放射線シミュレーションを用いた重陽子ビーム（１００ＭｅＶ／ｕ）による標的発熱の評価を説明する図である。図５Ａは、標的体系を示す図であり、５０１は液体リチウム標的、５０２はコーン体である。図５Ｂは重陽子ビームの飛跡（流量）を表し、図５Ｃは中性子の飛跡（流量）を表す。図５Ｂに示すように、重陽子ビームは液体リチウム標的によってほぼ完全に停止される。また、図５Ｃに示すように、コーン体の側面からも十分な量の中性子が放出されることが分かる。
【００４６】
図５Ｄは、標的の発熱分布を示す図である。本実施形態のようなコーン形状の標的と円柱形状の標的のそれぞれの場合について、ビーム強度１００ＭｅＶ／ｕと４０ＭｅＶ／ｕについてシミュレーションにより発熱量を評価した。グラフ５１１および５１２は、１００ＭｅＶビームをコーン形状標的および円柱形状標記に照射した場合の発熱量を示す。また、グラフ５２１および５２２は、４０ＭｅＶビームをコーン形状標的および円柱形状標記に照射した場合の発熱量を示す。横軸は液体リチウム表面からの深さ［ｃｍ］を表し、縦軸は発熱量［ｋＷ／ｃｃ］を表す。どちらのビーム強度についても、本実施形態の方が比較例である円筒形の標的の場合と比較して、ビーム飛程終端（ｚ＝約３７ｃｍおよびｚ＝約８ｃｍ）での局所発熱を低減することができていることが分かる。すなわち、本実施形態では液体リチウムの突沸によるガス発生を抑制できることが分かる。
【００４７】
図６Ａ，６Ｂは、シミュレーションによるＬＬＦＰの核変換効率の評価を説明する図である。図６Ａは、液体金属６０１、コーン体６０２およびＬＬＦＰ６０３の配置を示す図である。ＬＬＦＰは、偶奇分離したパラジウム（１０５Ｐｄ，１０７Ｐｄ）とした。図示のように、ＬＬＦＰ６０３はコーン体６０２の回りに配置され、液体金属標的で発生する大強度中性子により核変換される。図６Ｂは、液体金属標的外に放出される中性子のエネルギー分布を示す。１００ＭｅＶ／ｕの重陽子１個あたり、約１個の中性子が発生していることが分かる。
【００４８】
また、１Ａの重陽子ビームを照射したときに、重陽子１個あたりの核変換個数が約０．７であり、核変換量が１年間あたり２５ｋｇであると計算される。このように、一基の加速器により、２５ｋｇものパラジウムを１年間で核変換（無害化）でき、効率的である。
【００４９】
［変形例］
本実施形態において、供給部１０５が供給する液体金属に、ＬＬＦＰの粉体を混合させてもよい。ビーム照射による中性子の発生位置に最も近い場所にＬＬＦＰが位置することにより、効率的にＬＬＦＰの核変換が行える。
【００５０】
また、本実施形態において、コーン体１０４をＬＬＦＰ（例えば９３Ｚｒ）で作成してもよい。コーン体１０４も中性子の発生位置に近い場所であり、効率にＬＬＦＰの核変換が行える。
【００５１】
また、本実施形態では、液体金属へのビーム照射で発生する中性子をＬＬＦＰの核変換のために用いているが、中性子による核変換対象の物質はＬＬＦＰに限られず任意の物質であって構わない。
【００５２】
＜第２の実施形態＞
本実施形態は、複数の患者に対してホウ素中性子捕獲療法（ＢＮＣＴ）を可能とする他
患者型ＢＮＣＴ治療システムに用いられるビーム標的システムである。図７に本実施形態にかかるビーム標的システム７００の全体構成を示す。なお、図７において液体金属の循環システムの記載は省略している。
【００５３】
本実施形態にかかるビーム標的システム７００の基本的な構成は、第１の実施形態と同様であるが、コーン体１０４の周囲にＬＬＦＰを保持する保持部１０６は設けられず、複数の中性子コリメータ７０１が設けられる。中性子コリメータ７０１は、液体金属へのビーム照射によって生じる中性子を平行化して、被照射体（患者）に向けて出力する。コーン体１０４は円錐台形状を有しているので、中性子コリメータ７０１はビーム照射方向と直交する方向に、中性子を出力する。また、中性子コリメータ７０１は、コーン体１０４の周方向に複数個、またビーム照射方向に複数個設けることができる。
【００５４】
本実施形態によれば、複数の患者に対して中性子を照射することができる。したがって、より効率的な治療が可能となる。また、中性子の出力方向がビームの照射方向と直交しているため、患者をビームの照射線上から避けて配置でき、安全性がより高まる。
【００５５】
なお、ここではＢＮＣＴを例に挙げて説明したが、発生した中性子線を非破壊検査に用いる検査システムにおいても、上記と同様の構成を採用できる。
【００５６】
＜第３の実施形態＞
本実施形態は、アスタチン−２１１（２１１Ａｔ）を大量生成するシステムに用いられるビーム標的システムである。アスタチン−２１１は、アルファ線を放出する放射線核種であり、経口または静脈内投与にして、がんの病巣部から直接アルファ線を照射するＲＩ内用療法に用いられる。
【００５７】
図８は、本実施形態に係るビーム標的システム８００の全体構成を示す図である。アスタチン−２１１は、加速器によって加速されたヘリウムビーム（〜７．２ＭｅＶ／ｕ）をビスマス（Ｂｉ）に照射して核変換することによって生じる（４Ｈｅ＋Ｂｉ→２１１Ａｔ＋Ｘ）。そこで、本実施形態においては、供給部１０５は、液体ビスマスをコーン体１０４の内側面に照射する。
【００５８】
液体ビスマスは、循環ポンプ８０１によって循環される。ビームの照射によって生成されたアスタチンは、コーン体１０４の下部から液体ビスマスとともに回収される。アスタチンはビスマスよりも沸点が低いため、回収装置８０３によってアスタチンのみを気体として分離して取り出すことができる。
【００５９】
本実施形態によれば、アスタチン−２１１を効率的かつ大量に生成することができる。
【符号の説明】
【００６０】
１００：ビーム標的システム
１０１：ビーム窓    １０２：偏向電磁石    １０３：ビーム径調整電磁石
１０４：コーン体    １０５：液体金属供給部    １０６：ＬＬＦＰ保持部
１０７：液体金属出口  １０８：液体金属入口    １０９：排出口  
１１０：液体金属（液膜）
１２０：循環システム  １２１：熱交換器  １２２：不純物除去装置
１２３：循環ポンプ
【図１】
2020139882.tif 000003
【図２】
2020139882.tif 000004
【図３】
2020139882.tif 000005
【図４】
2020139882.tif 000006
【図５】
2020139882.tif 000007
【図６】
2020139882.tif 000008
【図７】
2020139882.tif 000009
【図８】
2020139882.tif 000010